Podtech/llm-jp-corpus-v4-ja_patent huggingface dataset:
(57)【要約】      （修正有） 【課題】掲示物着脱操作の簡便化と保持力の強化、安定化を図った吊り具を提供する。【解決手段】掲示物吊り具１  は背板２と、先端を鋭角にカギ状に折り返した折り返し部を持つ吊り具３と、フック４とによって構成する。吊り具３の使用に際しては、掲示物を上記吊り具３の折り返し部と類似形状に所定幅で折り曲げ、吊り具の奥に挟み込み、吊り具３の折り返し部分に引掛けて、掲示物を吊り下げる。さらに吊り具３の下に所定の距離をおいてカレンダーなどの吊り下げ用フック４を設けても良い。【選択図】図１
0003148359.tif 000002
【実用新案登録請求の範囲】
【請求項１】
背板（２）と背板の上部前面に掲示物を吊り下げる吊り具（３）を設け,吊り具（３）は背板に向けたカギ状のものであることを特徴とする掲示物吊り具。
【請求項２】
上記背板（２）の吊り具の下に所定の距離をおいてカレンダーの吊り下げ用フック（４）を設けた請求項１記載の掲示物吊り具。
【考案の詳細な説明】
【技術分野】
【０００１】
本考案は、掲示物着脱操作の簡便化と保持力の強化、安定化を図った吊り具の技術分野に関する。
【背景技術】
【０００２】
従来の吊り具は、例えば歴葉を切り離し,改めて別位地に挿着するタイプの２か月カレンダーに使用されるものがあるが、その挿着挟持の機能は理論上、挿み込むことは可能でも、実際にはたいへん難しく、またメモ書きの際などの手の動きや重力の影響を受けた際に脱落しやすく、吊り具の機能としては不十分なものであった。
【特許文献１】特開２００７−５０６０３号
【考案の開示】
【考案が解決しようとする課題】
【０００３】
本考案が解決しようとする課題は吊り具への掲示物の着脱操作の難しさと保持力の弱い点を克服することである。
【課題を解決するための手段】
【０００４】
本考案は上記の課題を解決するために、背板（２）と背板の上部前面に掲示物を吊り下げる吊り具（３）を設け、吊り具（３）は背板に向けたカギ状のものであることを特徴とする掲示物吊り具、および上記背板  (２)  の吊り具の下に所定の距離をおいてカレンダーなどの吊り下げ用フック(４)を設けた請求項１記載の掲示物吊り具を提供する。
【０００５】
本考案は背板（２）にとりつけられた吊り具(３)の先端部を背板（２）に向けて斜め上方に鋭角に折り曲げＶ字形の折り返しを設け、そこへ所定幅の折り代を手前に折り曲げた形の掲示物を挿し込むと、内部で自然に開放された折り代は逆Ｖ字形をなし、掲示物自体の強度により、折り返し部のＶ字形と互い違いに組み合わされた状態で保持されることをもっとも主な特徴とする。
ここでいう背板(２)とは，吊り具(３)を取り付けた背面の板である。
ここでいう吊り具(３)とは，掲示物などを吊り下げるためのカギ状のものを背板に向けて取り付けたものである。
ここでいうフック(４)とは，カレンダーなどの掲示物をかけるための突起物である。
【考案の効果】
【０００６】
上述したように、本考案で必要とされるのは、掲示物の折り曲げと挿し込みという単純な操作のみであるにもかかわらず、その結果得られる保持力は安定的で強く、掲示物を下方に引っ張っても容易に外れずメモ書きなどの際の手の動きにも耐え得るものである。
また、これを外す時には、一端に対して斜め下方向に力を加えることにより折り目が広げられ、簡単に外すことができる上、着脱を頻回繰り返すことへの耐性も強く、単純な構造のため破損も起きにくく、掲示物の着脱操作の簡便化、及び保持効果の強化の点において高い利便性を持つ。
【考案を実施するための最良の形態】
【０００７】
本考案の実施形態を図面に基づき説明する。
【実施例】
【０００８】
図１は本考案の全体の斜視図である。図１に示すように本考案の掲示物吊り具(１)  は背板(２)と、折り返し部を持つ吊り具(３)と、フック(４)とによって構成されている。  
吊り具(３)の使用に際しては要するのは、掲示物を所定幅に折り曲げ、吊り具の奥に挟み込むという単純な操作のみであるが、吊り具(３)の折り返し部分に掛けられることにより、安定的に強い保持力を持ち、掲示物の着脱操作の難しさと保持力の弱さを克服し，簡便さを実現した。
【０００９】
図２は吊り具の構造図である。背板(２)の前面上部に掲示物を吊り下げる吊り具(３)  を設け、吊り具(３)は背板に向けたカギ状のものであることを特徴とする掲示物吊り具,及び上記背板(２)の吊り具(３)の下に所定の距離をおいてカレンダーなどの吊り下げ用フック(４)を設けた請求項１記載の掲示物吊り具で、カギ状の部分の先端は、鋭角に折り返すことにより掲示物の脱落を防ぐ効果をもつ。
【００１０】
図３は吊り具(３)のＡ−Ａ線断面図である。
【００１１】
図４はひとつの例として、一般的なカレンダーをフックに掛けたところの斜視図である。先の月の歴葉を切り離し、上部吊り具にセットすることにより、下部には後の月があらわれ，月毎に位置の逆転が起きることなく、しっかりと歴葉が保持されメモ書きに受ける力にも耐え得る簡便な２ヶ月カレンダーとして使える上、好みのポスターなどをセットすれば自分だけのオリジナルカレンダーにもなり、楽しく、かつ利便性の高いものになっている。
【００１２】
図５は掲示物の着脱の図である。
【図面の簡単な説明】
【００１３】
【図１】本考案の全体の斜視図である。
【図２】吊り具の構造図である。
【図３】吊り具のＡ−Ａ線断面図である。
【図４】カレンダーをフックに掛けたところの斜視図である。
【図５】掲示物の着脱の図である。
【符号の説明】
【００１４】
１  掲示物吊り具(全体)
２  背板
３  吊り具
４  フック
【図１】
0003148359.tif 000003
【図２】
0003148359.tif 000004
【図３】
0003148359.tif 000005
【図４】
0003148359.tif 000006
【図５】
0003148359.tif 000007
(57)【要約】      （修正有）【課題】仕立て後も染め柄の名称及び製作者の名称を確認できる和装着物用の反物及びこれを用いて仕立てた和装着物を提供する。【解決手段】耳部に染め柄の名称及び製作者の名称を染め抜いた和装着物用の反物及びこれを用いて仕立てた和装着物である。反物に染め柄が表示されるため、染め柄の特定及び品質の維持を図ることができる。また、染め物の製作者の明確化がはかられるので、製品の差別化ができる。【選択図】図１
0003148356.tif 000002
【実用新案登録請求の範囲】
【請求項１】
耳部に染め柄の名称及び製作者の名称を染め抜いた和装着物用の反物。
【請求項２】
請求項１に記載の反物を用いて仕立てたことを特徴とする和装着物。
【考案の詳細な説明】
【技術分野】
【０００１】
本考案は、和装着物用の反物及びこれを用いて仕立てた和装着物に関する。
【背景技術】
【０００２】
従来和装着物用の反物は、耳部を含めて本体と同じ色で染め上げられるとともに、その端部には、染め柄の名称、製作者の名称等の表示がなされている。そして消費者は、上記表示あるいは販売者を信用して反物を注文し、和装着物の仕立てを依頼している。
【０００３】
ところが反物の端部は、和装着物を仕立てる段階で裁断されてしまうため、仕立てられた和装着物が注文した反物により仕立てられたものかどうかを確認することはできなかった。
これまで消費者は、実際に反物を見て確認した上で仕立てを依頼しているので、この点について特に問題となることはなかった。
【０００４】
近年和装着物が広く普及するに伴い、ローラー染め等により反物が量産されるようになった。このため実際に反物を見ないで仕立て済みの和装着物を購入する消費者が増加してきた。
仕立て済みの和装着物を購入する際には販売者を信用して購入することになるが、確実とはいえない。
すなわち、例えば伝統工芸士による手染めの反物による和装着物の購入を希望する消費者にとって、確実に希望する手染めの反物によって仕立てられた和装着物かどうか確認できない不都合があった。
【０００５】
一方、洋服地においては、反物の端部又は耳部に、織物の製造者の名称を表示して、反物の品質・製造者が分るようにしたものはある。
ところが反物の端部及び耳部は、洋服の仕立ての段階で、裁断されてしまうため、和装着物の場合と同様の不都合がある。
【特許文献１】特開平１０−１４０４３９号公報
【特許文献２】特開２００１−３２９４１１号公報
【考案の開示】
【考案が解決しようとする課題】
【０００６】
したがって本考案は、仕立て後も染め柄の名称及び製作者の名称を確認できる和装着物用の反物及びこれを用いて仕立てた和装着物を提供することを課題とする。
【課題を解決するための手段】
【０００７】
本考案は、和装着物では仕立て後も反物の耳部が残ることに着目してなされたものである。
課題を解決するための手段は、次のとおりである。
（１）耳部に染め柄の名称及び製作者の名称を染め抜いた和装着物用の反物。
（２）上記（１）に記載の反物を用いて仕立てた和装着物。
なお本考案における「製作者の名称」には、製作者の氏名、製造元の名称も含まれる。
【考案の効果】
【０００８】
和装着物の場合は、反物の耳部を裁断することなく、仕立てるので、次のような効果がある。
（１）和装着物の仕立て後であっても、反物の製作者がわかるので、出所表示になる。
（２）反物に染め柄が表示されるため、染め柄の特定及び品質の維持を図ることができる。
（３）染め物の製作者の明確化がはかられるので、製品の差別化ができる。
したがって伝統的な手染めの反物による和装着物を普及させることができる。
【考案を実施するための最良の形態】
【０００９】
本考案に係る反物について、図面を参照して詳細に説明する。
図１は、本考案に係る反物を説明するための概略図である。反物１は、例えば伝統的な柄に染められた反物の本体５、反物の耳部２及び反物の端部４から構成されている。
反物の耳部２には、染め柄の種類を表す例えば「○○小紋」、製作者の名称を表す例えば「○○染芸」といった染め抜き３がなされている。また反物の端部４には、染め柄の種類、製作者の資格、氏名、製造元等が適宜表示される。
【００１０】
反物を和装着物に仕立てる際に反物の端部４は裁断されてしまうが、反物の耳部２は折り返しにより、和装着物の仕立て後にも裁断されることなく残されることになる。
したがって消費者は、反物の耳部２に設けられた「○○小紋」、「○○染芸」といった染め抜き３により、希望する反物により仕立てられた和装着物かどうか確実に確認することができる。
【００１１】
染め柄の名称、製作者の名称の染め抜き３は、一方の耳部に例えば「○○小紋」という表示を繰り返し染め抜き、他方の耳部に例えば「○○染芸」という表示を繰り返し染め抜いてもよいし、両耳部に「○○小紋」、「○○染芸」を交互に繰り返し染め抜いてもよい。
以上好ましい実施の形態について説明したが、本考案はこれらの例に限定されるものではなく、本考案の要旨を逸脱しない範囲内において適宜の変更が可能である。
【図面の簡単な説明】
【００１２】
【図１】本考案に係る反物を説明するための概略図である。
【符号の説明】
【００１３】
１  反物
２  耳部
３  染め柄の名称、製作者の名称の染め抜き
４  反物の端部
５  反物の本体
【図１】
0003148356.tif 000003
(57)【要約】      （修正有）【課題】人が手書きでメディア・ディスク表面に文字を書く場合、文字の大きさが不揃にならないようにするための用具を提供する。【解決手段】板状体１の中心に、当該板状体１の一部をメディア・ディスクの中心位置穴に適合する凹形状の突起ａに形成して設けてなるメディア・ディスクの凹形中心位置さぐり装置Ａを設け、板状体１の中心に正対して、開口部２を中心に対する円弧に沿って配置し、設けたメディア・ディスクテンプレート。【選択図】図１
0003148078.tif 000002
【実用新案登録請求の範囲】
【請求項１】
板状体（１）の中心に、当該板状体（１）の一部をメディア・ディスクの中心位置穴に適合する凹形状の突起（ａ）に形成して設けてなるメディア・ディスクの凹形中心位置さぐり装置（Ａ）を設け、板状体（１）の中心に正対して、開口部（２）を中心に対する円弧に沿って配置し、設けてなるメディア・ディスクテンプレート。
【請求項２】
中心位置さぐり装置が、メディア・ディスクの中心位置穴に適合する形状に形成された板状片（ｂ）を板状体（１）の中心に固着してなるメディア・ディスクの凸形中心位置さぐり装置（Ｂ）を設けてなる、請求項１のメディア・ディスクテンプレート。
【請求項３】
中心位置さぐり装置がメディア・ディスクの中心位置穴と約同径の穴（ｃ）を板状体（1）の中心に設けたメディア・ディスクの穴形中心位置さぐり装置（Ｃ）を設けてなる、請求項1のメディア・ディスクテンプレート。
【考案の詳細な説明】
【技術分野】
【０００１】
本考案は、ＣＤディスク、ＤＶＤディスク、ブルーレイディス等のメディア・ディスクに手書きで文字を記入する際に、文字を一定の大きさに書き揃えることに関するものである。
【背景技術】
【０００２】
これまで、メディア・ディスクの内容を確認するためには、メディア・ディスクを装置にかけるか、表面にファイルネイムを書いていた。表面に文字を書く場合、人が手書きでメディア・ディスク表面に文字をフリーハンドで書くか、メディア・ディスクに印刷可能なプリンタを用いていた。
【考案の開示】
【考案が解決しようとする課題】
【０００３】
従来の技術では、人が手書きでメディア・ディスク表面にフリーハンドで文字を書く場合、文字の大きさが不揃になり、結果的に多くの情報を書くことができなかた。多く書き付けるには、メディア・ディスクに印刷可能なプリンタを用いていた。
【０００４】
本考案は、背景の技術の有するこのような問題点に鑑みてなされたものであり、その目的とするところは、人が手書きでメディア・ディスク表面に文字を書く場合、文字の大きさが不揃にならないようにするための用具を提供しようとするものである。
【課題を解決するための手段】
【０００５】
板状体の中心に、当該板状体の一部をメディア・ディスクの中心位置穴に適合する凹形状の突起に形成して設けてなるメディア・ディスクの凹形中心位置さぐり装置を設け、板状体の中心に正対して、開口部を中心に対する円弧に沿って配置し、設ける。
【０００６】
中心位置さぐり装置が、メディア・ディスクの中心位置穴に適合する形状に形成された板状片を板状体の中心に、固着してなるメディア・ディスクの凸形中心位置さぐり装置を設ける。
【０００７】
中心位置さぐり装置が、メディア・ディスクの中心位置穴と約同径の穴を板状体の中心に設けたメディア・ディスクの穴形中心位置さぐり装置を設ける。
【考案の効果】
【０００８】
本考案は、各形の中心位置さぐり装置を設けたことにより、被記入メディア・ディスクの中心位置を確保する作用が生じ、開口部を板状体の中心に対して円弧に沿って配置してなるので、文字列を常に円弧に沿って一定位置に導く効果を生ずる。一定位置に保たれた開口部内に文字や必要記入事を記入すれば、記入された文字や必要記入事がメディア・ディスクの円弧に沿って一定の大きさに統一され、さらに、文字線が一定の高さに揃うという効果を生ずる。この効果により、フリーハンドで記入する場合に比べてより多くの文字列を記入することができ、かつ、見栄えよく書くことができる。
【考案を実施するための最良の形態】
【０００９】
本考案のメディア・ディスクテンプレートは、メディア・ディスクと約同径形状に形成された透明な円板状体の中心を、メディア・ディスクの中心位置穴に適合する円凹形状の突起に形成したメディア・ディスクの凹形中心位置さぐり装置を設ける。
【００１０】
あるいは、当該円板状体の中心に、メディア・ディスクの中心位置穴に適合する円形状に形成された板状片を固着し、これを凸形中心位置さぐり装置として設ける。
【００１１】
あるいは、当該円板状体の中心に、メディア・ディスクの中心位置穴と約同径の穴を開口し、これを穴形中心位置さぐり装置として設ける。
【００１２】
当該円板状体の中心に正対し、かつ、円弧に沿って開口部を設ける。    
【実施例１】
【００１３】
図１に於ける実施例においては、メディア・ディスクと約同径形状に形成された透明な円板状体１の中心を、メディア・ディスクの中心位置穴に適合する円凹形状の突起ａに形成したメディア・ディスクの凹形中心位置さぐり装置Ａを設ける。円板状体１の中心に正対し、かつ、円弧に沿って開口部２を設ける。
【実施例２】
【００１４】
図２に於ける実施例においては、メディア・ディスクの中心穴に適合する径に形成された板状片ｂを円形状の板状体１の中心に固着し、メディア・ディスクの凸形中心位置さぐり装置Ｂとして設ける。板状体１の中心に正対して、かつ、円弧に沿って開口部２を設ける。
【実施例３】
【００１５】
図３に於ける実施例においては、円形状の板状体１の中心に、メディア・ディスクの中心穴と約同径の穴ｃを開口し、これを穴形中心位置さぐり装置Ｃとして設ける。
【実施例４】
【００１６】
図４に於ける実施例においては、開口部を文字形開口２ｄに形成して、板状体１の中心に正対し、かつ、円弧に沿って配置し設ける。
【図面の簡単な説明】
【００１７】
【図１】板状体の中心を、メディア・ディスクの中心位置穴に適合する円凹形状に形成したメディア・ディスクの凹形中心位置さぐり装置を設けたメディア・ディスクテンプレートの斜視図である
【図２】板状片を中心位置さぐり装置として設けたメディア・ディスクテンプレートの斜視図である。
【図３】メディア・ディスクの中心穴と約同径の穴を穴形中心位置さぐり装置として設けたメディア・ディスクテンプレートの斜視図である。
【図４】開口部を文字形に形成開口してなるメディア・ディスクテンプレートの斜視図である。
【符号の説明】
【００１８】
１    板状体
２    開口部
２ｄ  文字形開口部    
Ａ    凹形中心位置さぐり装置
Ｂ    凸形中心位置さぐり装置
Ｃ    穴形中心位置さぐり装置
ａ    突起
ｂ    板状片
ｃ    穴
【図１】
0003148078.tif 000003
【図２】
0003148078.tif 000004
【図３】
0003148078.tif 000005
【図４】
0003148078.tif 000006
(57)【要約】      （修正有）【課題】犬の糞を地面に落ちる前に開けたバッグの上で受け取り、地面や手を汚さず衛生的に持ち帰り、処理できる糞取りバッグを提供する。【解決手段】バッグ本体は、糞を受け取るための紙と紙バサミを設けて、犬が糞をする体勢になったとき、尻の下に紙数枚を重ねて固定したバッグを開け、糞を確実にキャッチし、処理ができる。特にゆるい糞や連続の糞収集にも対応でき、またバッグ本体にサイドポケットを左右に設けたことにより収集した糞もポケットに入れて持ち帰ることができる。【選択図】図３
0003148079.tif 000002
【実用新案登録請求の範囲】
【請求項１】
形状はバッグで二つに折りたたみ、内側に数枚の紙を重ね両サイドに紙バサミを付けて固定した紙の上で糞を受けるようにし、連続の糞収集を可能にすると共にバッグ本体外側にポケットを設け、糞を入れるために必要なビニール袋、ティッシュ等を収納でき、取った糞もポケットに収納できることを特徴とする犬の糞取りバッグ。
【考案の詳細な説明】
【技術分野】
【０００１】
本考案は、犬の糞を地面に落とさずに収集し、衛生的に処理する犬の糞取りバッグに関するものである。
【背景技術】
【０００２】
従来、散歩時の犬の糞処理は、様々な用具等提供されているが、多くの人は地面に落ちた糞の上に紙をのせ、手でつまみ取ったり又シャベルですくい取ったり、或いは容器などを受けて取るような場合はその都度洗う手間も必要で面倒であった。
【考案の開示】
【考案が解決しようとする課題】
【０００３】
本考案は、犬の糞が地面に落ちる前に受け取って、地面や手を汚すことなく手軽で簡単且つ衛生的に処理できる糞取りバッグを提供することを目的とする。
【課題を解決するための手段】
【０００４】
上記、目的を解決するため本考案は二つ折りバッグの内側に数枚紙を重ね、両サイドに紙バサミをつけ固定し、犬が糞をする体勢になった時、すばやく尻の下にバッグを開けて置き、糞を収集する。また、草むらや糞の取りにくい場所などの場合には、バッグを両手で持ち上げて紙の上に糞を受け取ることも可能である。紙は数枚重ねているので、上部の紙から順に紙の端を持って包み、ビニール袋に入れて口を結ぶ。特にゆるい糞や続けて糞をした場合でも上部から順に必要な分だけめくって使用できるので、すぐ対応することができる。また、バッグ本体にポケットをつけたことで、必要な袋や紙などが収納でき、取った糞もポケットに収納し、持ち帰ることができる。従って、簡単且つ衛生的に処理できることとなる。
【考案の効果】
【０００５】
以上のように本考案は、二つ折りのバッグの内側に紙を固定させてこれを開ければ簡単に糞の収集ができ、またバッグの内側に固定している紙は新聞紙、チラシ、使用済のコピー用紙その他いろんな紙を再利用できるので、安価である。また、紙の上で取った糞の状態が確認できるため、犬の健康も毎日の散歩で判るのも利点である。また、紙を溶けるものに変えれば、持ち帰った糞もトイレに流して処分できる。形状がバッグなので、携帯トイレには見えず、見た目もおしゃれで毎日の散歩が楽しくなる効果も有する。
【考案を実施するための最良の形態】
【０００６】
本考案の実施形態について、まず本体はビニールコーティングされた素材であるため、汚れたとき軽く拭き取れる。また、二つ折りのバッグにサイドポケットを付けたことにより取った糞を入れるビニール袋、予備の紙、その他必要なものが入る。紙の上で受け取った糞を包み込んで、常備しているビニール袋に入れて口を固く結び、バッグのサイドポケットに入れて持ち帰り、ゴミとして処理することもできるし、溶ける紙を使った場合、トイレに流して処理もできる。いづれにしても地面や手を汚さずに手軽で衛生的に処理できることが極めて良い。
【実施例】
【０００７】
以下、本考案の実施例について説明する。図１バッグ本体１を開け、紙４を数枚重ねて紙バサミ２で留めてセットする。図１を持って散歩中犬が糞をする体勢になったとき、図２バッグを開けて犬のお尻の下に置くか、地面に何か障害物等ある場所での場合、持ち手３を両手で持ち上げて受け取る。紙４の上にのった糞は紙４の両端をつまみ、サイドポケット５に用意したビニール袋に入れて口を固く結び、バッグ１のサイドポケット５に入れて持ち帰りゴミとして出す。
【産業上の利用可能性】
【０００８】
誰でもどこでも簡単に紙を挟んだバッグを開けるだけで、糞の収集ができ、且つ使用済の紙を再度利用できる糞取りバッグである。
【図面の簡単な説明】
【０００９】
【図１】本考案の閉じたときの正面図
【図２】本考案の開いたときの平面図
【図３】本考案の使用状態説明図
【図４】本考案の斜視図
【符号の説明】
【００１０】
１  本体バッグ
２  紙バサミ
３  持ち手
４  紙
５  ポケット
【図１】
0003148079.tif 000003
【図２】
0003148079.tif 000004
【図３】
0003148079.tif 000005
【図４】
0003148079.tif 000006
(57)【要約】      （修正有）【課題】床暖房用温水マットにおいて、温水マットの軽量化と遮音及び断熱性能の向上を図り、更に省資源とコストの低減を図る温水マットを提供する。【解決手段】マット本体１の裏面１ａにおいて、凹状の窪みから成る肉抜き部６を形成する。この結果、肉抜き分軽量化を図ることができると共に肉抜き部６により形成された空胴により遮音と断熱性能が高まり、且つ省資源とコストの低減を図ることができる。上記構成において、肉抜き部６の形状は、四角形状の窪み、あるいは円形状の窪み、格子状の溝又はこれらの組み合わせなど任意である。【選択図】図４
0003148002.tif 000002
【実用新案登録請求の範囲】
【請求項１】
マット本体の裏面に肉抜き部を形成して成る床暖房用温水マット。
【請求項２】
前記肉抜き部は、円形又は四角形から成る凹状の窪み又は格子状又は綾状の溝又は前記窪みと溝の組み合せから成ることを特徴とする請求項１に記載の床暖房用温水マット。
【考案の詳細な説明】
【考案の属する技術分野】
【０００１】
本考案は、発泡樹脂製マット本体の上面に温水パイプを蛇行配管した構成の床暖房用温水マットに関し、更に詳しくは、前記温水マットにおいて階下への防音対策と断熱性の向上を図り、併せて温水マットの軽量化と成形樹脂量を軽減して省資源とコストの低減を可能にした床暖房用温水マットに関する。
【従来の技術】
【０００２】
従来の床暖房用温水マットには、特開２００７−２０４９８６号公報に掲載されているようにマット本体を発泡ポリエチレン又は発泡ポリスチレンで成形し、このマット本体にフローリング仕上げ用として木質小根太を３０３ｍｍピッチで挿入し、温水パイプはこの小根太間を蛇行するように配管したものと、前記小根太を挿入しないカーペット、コルクタイル、畳仕上げ等に用いられるネダレスタイプの二種類があり、いずれもマット本体の裏面は平滑に仕上げられている。
【特許文献１】特開２００７−２０４９８６号
【考案の開示】
【考案が解決しようとする課題】
【０００３】
このように、従来の温水マットは、そのマット本体の裏面は平滑に仕上げられているが、この平滑仕上げには格別な理由がある訳ではないことから、次のような欠点がある。
【０００４】
１．マット本体は発泡体であることから、遮音及び断熱性は在るが、それでも満足できる値ではない。
【０００５】
２．温水マットには、運搬及び施工性において軽量化が望まれているが、例えば６畳用の木質小根太入りの場合３，６００ｍｍ×２，７００ｍｍの大きさで、およそ１５ｋｇあることから、この軽量化の要望が強い。
【０００６】
３．施工業者及びユーザーからは、前記温水マットの軽量化に併せて省資源、コストの低減の要望が強い。
本考案は、このような要望に応えるべく提案されるものである。
【課題を解決するための手段】
【０００７】
上記要望に応えるため、請求項１に記載の考案においては、温水マットにおけるマット本体の裏面に肉抜き部を形成したものである。
【０００８】
このように、マット本体の裏面に肉抜き部を形成すると、この肉抜きを行った分軽量化と省資源、低コスト化が可能になると共に肉抜きにより出来た空胴が遮音と断熱性能を更に向上させることができる。
【０００９】
更に、請求項２に記載の考案においては、マット本体の裏面に形成した肉抜き部は、円形又は四角形から成る凹状の窪み又は格子状又は綾状の溝又は前記窪みと溝の組み合わせから成ることを特徴とするものである。
上記肉抜き部の形状は、マット本体の大きさや施工条件により任意に選択する。勿論、任意に組み合わせて実施しても良い。
【考案の効果】
【００１０】
本考案は以上のとおり、マット本体の裏面に肉抜き部を形成したことにより、次の効果を奏する。
１．肉抜き部により空洞つまり空気層ができるため、遮音及び断熱性能が向上する。
２．肉抜きを行った分、軽量化を図ることができる。
例えば、前記した小根太入り６畳用マットにおいて、実用性を阻害しない程度に肉抜き（表面積の４０〜５０％）を行った場合、マット本体の総重量を８〜２０％程度軽減できる。
３．肉抜きを行った分使用樹脂量を低減できるため、省資源と低コスト化を図ることができる。
【実施例】
【００１１】
請求項１、２に記載した本考案の実施例を図１〜図５に基づいて詳細に説明する。
図１はマット本体の平面図、図２はマット本体１の裏面図、図３はマット本体の裏面に形成した肉抜き部の一部を示す拡大平面図、図４は図１のＡ―Ａ´線拡大断面図、図５は肉抜き部の形状の説明図である。
【００１２】
これら各図において、１は発泡ポリスチレンにより成形されたマット本体、２は小根太、３は温水パイプの渡り部、４はマット本体１の表面に形成した溝内に蛇行配管された温水パイプ、５は温水ヘッダーであって、熱源機（固示せず）から供給された約４０〜８０℃の温水は、温水ヘッダー５から温水パイプ４内に入り、マット本体１を一巡して温水ヘッダー５から熱源機に還る。
【００１３】
６はマット本体１の裏面１ａの全面に均一に形成された碁盤目状の肉抜き部であって、この肉抜き部６は図４に示すように凹状の窪みとなっている。図４において、符号の７はフローリング床材である。
【００１４】
本実施例において、肉抜き部６の深さ及び形状は、マット本体１の強度を損なわない範囲において任意である。
【００１５】
また、肉抜き部６の平面形状は、図５（Ａ）に示すように四角形状の窪みとしてでも良いが、（Ｂ）に示すように円形に形成するか、又は（Ｃ）に示すように格子状の溝形状としても良く、この肉抜き部６の形状及びその組み合せは任意である。
【００１６】
本実施例は、小根太入りのマット本体１に適用した場合であるが、小根太が挿入されていない所謂ネダレスタイプにも適用が可能であり、この場合は、小根太が入っていない分、肉抜き部の成形範囲を広げることができるため、更に肉抜き効果をアップすることができる。また、本実施例において、小根太２は木質であるが、この小根太２の材質は、発泡樹脂製であっても良く、本考案においてこの小根太２の材質は特に限定されない。
【図面の簡単な説明】
【００１７】
【図１】本考案に係るマット本体の平面図
【図２】本考案に係るマット本体の裏面図
【図３】肉抜き部の一部を示す拡大説明図
【図４】Ａ−Ａ´線拡大断面図
【図５】（Ａ）〜（Ｃ）肉抜き部の平面形状の説明図
【符号の説明】
【００１８】
１．マット本体
２．小根太
３．渡り部
４．温水パイプ
５．温水ヘッダー
６．肉抜き部
７．フローリング床材
【図１】
0003148002.tif 000003
【図２】
0003148002.tif 000004
【図３】
0003148002.tif 000005
【図４】
0003148002.tif 000006
【図５】
0003148002.tif 000007
(57)【要約】      （修正有）【課題】身体全体の調子を整える効果が得られる無機ゲルマニウムを含有するシート材を十分に利用して、身体に密着させて使用できるようにした、ペットと飼い主用のベルトを提供する。【解決手段】ベルト素材２と、前記ベルト素材の身体当接側の面に無機ゲルマニウムを含有するシート材３を固定してなるベルト１と、そのベルトの一方の端部と他方の端部をとめる留め具５の身体当接側の面に、無機ゲルマニウムを含有するシート材を固定してベルト本体を構成する。【選択図】図１
0003148035.tif 000002
【実用新案登録請求の範囲】
【請求項１】
ベルト素材と、前記ベルト素材の身体当接側の面に無機ゲルマニウムを含有するシート材を固定してなるベルト本体と、そのベルト本体の一方の端部と他方の端部を留める留め具からなるベルト。
【請求項２】
前記留め具の身体当接側の面に、無機ゲルマニウムを含有するシート材を固定してなる請求項１記載のベルト。
【考案の詳細な説明】
【技術分野】
【０００１】
本考案は、無機ゲルマニウムシートの特性を生かしたペットと飼い主の身体などに巻くベルトに関するものである。
【背景技術】
【０００２】
従来の無機ゲルマニウムを使用したペット用首輪などは、粒状の無機ゲルマニウムを金属に貼りつけた高価なものとか、ゲルマニウムの純度の低いものなどであった。
【考案の開示】
【考案が解決しようとする課題】
【０００３】
無機ゲルマニウムは、熱によりマイナス負荷の電子を発するといわれている。金属元素は皮膚に密着させると「電子浸透圧」という金属元素の持つ電子が体内に吸収されるという性質がある。これによりゲルマニウムを皮膚に密着させることでプラスに傾き不調になった体の電流を整え、身体の痛み、特に慢性的な痛みを和らげてくれること、また血流をよくし、副交感神経が活性化してリラックス効果があることは最近よく知られるようになった。これらの効果は人を対象としたものであるが、体温3８〜39度の犬、猫などその他のペットにおいても、効果は望めるものである。
しかし、無機ゲルマニウムは99.999％以上の純度でないと効果的ではないという考えがある。そういった純度の高いゲルマニウムを焼結したものなどを求めると非常に高価なものになる。
従来の無機ゲルマニウムを使用したペット用首輪は、粒状の無機ゲルマニウムを金属に貼りつけた高価なものとか、ゲルマニウムの純度の低いものなどで、安価で高品質であり身体にピッタリと密着した、飼い主とおそろいで着用できるしゃれたベルトはなかった。
本考案はこれらに対しての問題点を解決するためになされたものである。
【課題を解決するための手段】
【０００４】
上記課題を解決するために、請求項１記載の考案にかかるベルトは、ベルト素材に、身体当接側の面に無機ゲルマニウムを含有するシート材を固定してなるベルト本体と、そのベルト本体の一方の端部と他方の端部をとめる留め具からなるベルトであることを特徴とする。
【０００５】
請求項２の考案は、請求項１記載の考案におけるベルト本体の一方の端部と他方の端部をとめる留め具の身体当接側の面に、無機ゲルマニウムを含有するシート材を固定する留め具であることを特徴とする。
【考案の効果】
【０００６】
上記の結果、巻く箇所にピッタリの革・布などの外観を持つ、内側が無機ゲルマニウムのベルトになる。首、手首などのサイズに合わせて留めることのできる留め具は、無機ゲルマニウムが皮膚表面に当たるようになるため、より無機ゲルマニウムの健康に寄与する特長が生かされるものとなる。
また留め具は種類が多く、シンプルな留め具には装飾具としてのカバー類とか、様々なストーン類なども固定できるので、多様なデザインが楽しめる。
【考案を実施するための最良の形態】
【０００７】
以下、本考案にかかるベルトの一実施形態について、図面に基づいて詳細に説明する。
革・布などの素材をベルト素材（２）とする。前記ベルト素材の一方の面に無機ゲルマニウムシート素材（３）を固定する。
本考案で使用する無機ゲルマニウムを含有するシート素材は99.999％の無機ゲルマニウムと塗料とを混ぜたものである。比較的安価で耐性の高いものでありながら、切る、縫う、貼る、が可能であるため、よく動くペットにも適している。
【０００８】
これら固定したベルト本体（４）をゲルマニウムが皮膚に当たるようにペットの首、腰や、飼い主の手首などに巻く。一方の端部と他方の端部を留め具（５）（７）（９）等で留める。
例えば、挟み込む留め具を利用すると、ベルトのサイズも自由に調節可能となり、ペットの場合どこかに引っ掛けた時など首を絞めることなく体重で外れる。
留め具素材が皮膚表面に当たるのを避けるため、無機ゲルマニウムシート素材（２）を留め具の身体当接側の面に固定する。
留め具はクリップなど事務的なものから、アクセサリー感覚のもの、磁石（８）の付いたもの等色々ある。また留め具には装飾具（６）（１０）としてのカバー類、様々なストーン類なども固定できるので、飼い主とおそろいで多様なデザインが楽しめる。
【図面の簡単な説明】
【０００９】
【図１】本考案にかかる一実施形態のベルトの斜視図。
【図２】図１に示すベルトの背面斜視図。
【図３】図１に示すベルト本体の斜視図。
【図４】図１に示すベルトの留め具斜視図。
【図５】本考案にかかる一実施形態のベルトの斜視図。
【図６】本考案の使用例を示す説明図。
【図７】本考案にかかる一実施形態のベルトの斜視図。
【図８】図７に示すベルトの背面斜視図。
【図９】図７に示すベルトの留め具斜視図。
【図１０】本考案の使用例を示す説明図。
【図１１】本考案の使用例を示す説明図。
【符号の説明】
【００１０】
（１）  ベルト
（２）  ベルト素材
（３）  無機ゲルマニウム含有のシート材
（４）  ベルト本体
（５）  留め具の一例
（６）  装飾具の一例
（７）  留め具の一例
（８）  留め具磁石の一例
（９）  留め具の一例
（１０）装飾具の一例
（１１）留め具の一例
【図１】
0003148035.tif 000003
【図２】
0003148035.tif 000004
【図３】
0003148035.tif 000005
【図４】
0003148035.tif 000006
【図５】
0003148035.tif 000007
【図６】
0003148035.tif 000008
【図７】
0003148035.tif 000009
【図８】
0003148035.tif 000010
【図９】
0003148035.tif 000011
【図１０】
0003148035.tif 000012
【図１１】
0003148035.tif 000013
(57)【要約】      （修正有）【課題】噴霧器本体への被装が簡単であり、かつ不使用時には噴霧器本体に被装したままで室内装飾としても使用できる噴霧器用カバーを提供する。【解決手段】噴霧用スプレー容器を被覆する噴霧器用カバーであって、稍太の毛糸を用いて編成した編地により底部に開口を残して胴部及び頭部よりなるカバー本体１を動物形状を模して作成し、底部開口２を拡げて容器本体に上から被せることを可能ならしめると共に、頭部に開口部３を形成し噴霧部４と操作ハンドル５を該開口部より露出せしめ得る如くなしたことを特徴とする。【選択図】図１
0003148036.tif 000002
【実用新案登録請求の範囲】
【請求項１】
噴霧用スプレー容器を被覆する噴霧器用カバーであって、稍太の毛糸を用いて編成した編地により底部に開口を残して胴部及び頭部よりなるカバー本体を動物形状を模して作成し、底部開口を拡げて容器本体に上から被せることを可能ならしめると共に、頭部に開口部を形成し噴霧部と操作ハンドルを該開口部より露出せしめ得る如くなしたことを特徴とする噴霧器用カバー。
【考案の詳細な説明】
【技術分野】
【０００１】
本考案は噴霧器用スプレー容器を被覆する噴霧器用カバーに係り、詳しくはスプレー容器に容易に取り替え使用可能であると共に、不使用時には置物として室内装飾に使用可能な編地による噴霧器用カバーに関するものである。
【背景技術】
【０００２】
ボトルカバーあるいは噴霧器用カバーとして従来、ボトルに合わせて種々の形状のものが作成され使用されているが、近時、単にカバーに止まらず、室内装飾を兼用させた消臭剤噴霧用カバーが提案され、市販に供されている。（例えば特許文献１参照）
この噴霧用カバーは動物に模した形状のカバーであって、スライドファスナー付き胴部本体と該胴部部本体の頂部を被冠すべく縫製されたフード型頭部を備え、フード型頭部を傾けた状態で前面のスライドファスナーを下げることでスプレー容器が胴部本体内に収納可能となり、ファスナーを閉めた後、前記フード型頭部をスプレー容器の頂部に被装されることにより、フード型頭部の口側からスプレー容器の噴霧部と操作ハンドルとを露出させて使用するように構成されている。
【特許文献１】意匠登録第１３１９５７８号公報
【考案の開示】
【考案が解決しようとする課題】
【０００３】
しかし、上記提案による噴霧容器カバーは噴霧器本体に被装するに際し、頭部を傾けた状態で前面のスライドファスナーを下げ、スプレー容器を胴部本体内に収納した後、再びファスナーを閉め、フード型頭部をスプレー容器の頂部に被装させるという手間を要すると共に、全体が動物を模した形状であるとしても、単に噴霧器用カバーとして使用されているにすぎない。
【０００４】
そこで、本考案は上記実状に鑑み、構造素材として編物の使用を試みることにより噴霧器本体への被装を簡単ならしめると共に、多彩な変化を加え、不使用時にも室内装飾用置物として充分、使用可能ならしめることを目的とするものである。
【課題を解決するための手段】
【０００５】
即ち、本考案噴霧器用カバーの特徴は、稍太の毛糸を用いて編成した編地により底部に開口を残して胴部及び頭部よりなるカバー本体を動物形状を模して作成し、底部開口を拡げて容器本体に上から被せることを可能ならしめると共に、頭部に開口部を形成し噴霧部と操作ハンドルを該開口部より露出せしめ得る如くなした構成にある。
【考案の効果】
【０００６】
上記本考案噴霧器用カバーはカバー本体が稍太の毛糸により編成された編地で形成されているから、編地の伸縮性を利用して底部開口を拡げることにより、噴霧器本体に対し上部より被せるだけで簡単に被装することができるので取り替え使用が容易であり、しかも頭部も胴部と一体となっているので胴部も頭部も一挙に被装されると同時に噴霧部及び操作ハンドルもカバー本体に被装しただけで頭部に形成された開口部よりそのまま露出し噴霧を行なえるので頗る実用的である。
【０００７】
殊にカバー全体が編地により作成されているため、種々の柄，模様，飾りを付して美観を整えることが容易であり、噴霧器不使用時でも噴霧器を収納したまま室内の装飾用置物として充分、使用することができる効果がある。
【考案を実施するための最良の形態】
【０００８】
以下、更に添付図面を参照し、本考案の具体的形態について説明する。図１は本考案に係る噴霧器用カバーの１例を示す使用状態斜視図であり、図２はその縦断面図である。これら図において、１は胴部と頭部を一体に有する噴霧器用カバー本体であり、動物を模した外観形状によって形成されている。
【０００９】
そして上記カバー本体１は稍太の毛糸を用いて編成された編地により形成されており、編地特有の伸縮性を有している。ここで動物としては首をもつものが好ましく、キリン，カンガルー，鳥などが用いられる。
【００１０】
編地による上記本考案のカバーは、稍太の毛糸を用いて胴部，頭部からなる動物を模した外観形状に一連に連続編成してもよく、また予め編成された編地を上記形状に作成しても良いが、胴部，頭部を連続して一体に編成するのが通常である。そして、編地による上記カバー本体の作成に際しては、図２に示す如く底面は開口２として残すと共に、頭部前面に噴霧器本体Ａの噴霧部４及び操作ハンドル５を露出し得る開口３を形成せしめている。なお、カバー本体１を形成する上記動物を模した外観形状は、上記の如く種々の動物形状を利用することが出来、多様な外観を形成することができるが、なかでも編地により作成することと、底部に開口２を、また、頭部に噴霧部４及び操作ハンドル５を露出する開口部３を設けることは本考案において必須である。
【００１１】
しかして、上記本考案カバーを噴霧器本体Ａに被装するにあたっては、底部の開口２を、編地の伸縮性を利用して拡大して噴霧器本体Ａの上方より被せることにより容易に被装することができ、同時に頭部の開口部３より噴霧器本体Ａの噴霧部４及び操作ハンドル５を露出せしめて、使用に供することができる。なお、噴霧器本体を使用しないときは、カバーを被装したまま、置物として随時、使用できるようにカバー本体の編地には種々の柄模様を付与し、あるいは別途、種々の飾り等を付着せしめて美観を固めるようにすることが好適である。
【００１２】
本考案カバーは以上のように編地にて胴部，頭部を有する動物形状に作成し、底部の開口を拡げて噴霧器本体に上からかぶせるだけで被装せしめるようにしたものであると共に、噴霧部及び操作ハンドルは頭部前面の開口より露出せしめて噴霧を可能とするので、被装が簡単で手間がかからず、随時、取り替えが容易であるのみならず、室内装飾にも効用があり極めて実用的である。
【図面の簡単な説明】
【００１３】
【図１】本考案に係る噴霧器用カバーの使用状態斜視概要図である。
【図２】上記カバーの縦断面図である。
【符号の説明】
【００１４】
Ａ：噴霧器本体
１：カバー本体
２：底部開口
３：頭部開口部
４：噴霧部
５：操作ハンドル
【図１】
0003148036.tif 000003
【図２】
0003148036.tif 000004
(57)【要約】      （修正有）【課題】寝具用の衣類に向く、吸湿性、放湿性、保温性、さっぱりとした質感に優れ、薄くて便利で洗濯しやすく、安価な生地を提供する。【解決手段】ワッフル織の織物又はハニコームの編み物１と平たく織られた織物２を重ね合わせ縫い合わせた生地である。体に密着する平たく織られた織物２の面が、汗等を吸収し、ワッフル織の織物又はハニコームの編み物１の凹の部分と平たく織られた織物２の間に空気の層３が形成されることから吸収した湿気は放湿されやすくなり、さっぱりとした質感を有することができる。さらに、該空気層３が多数形成されることにより保温性を高めることもできる。【選択図】図１
0003148535.tif 000002
【実用新案登録請求の範囲】
【請求項１】
ワッフル織の織物又はハニコームの編み物と平たく織られた織物を重ね合わせ縫い合わせたことを特徴とする、生地。
【請求項２】
前記生地はバイアスステッチによって縫い合わされた請求項１記載の生地。
【請求項３】
請求項１に記載の生地を使用したベッドパット
【請求項４】
請求項２に記載の生地を使用したベッドパット
【考案の詳細な説明】
【技術分野】
【０００１】
この考案は、ワッフル織の織物又はハニコームの編み物１と平たく織られた織物２を重ね合わせ縫い合わせた生地に関するものである。この考案において「ワッフル織」とは経緯糸の浮き糸を使って布面に四角形または菱形の凹凸を作るように織られた織物をいう。この考案において「ハニコームの編み物」とは緯編みの変化組織の一つで蜂の巣状の凹凸のある編み地をいう。この考案で「生地」とは、二枚又は三枚の織物又は編み物を重ね合わせ縫い合わせたものをいう。
【背景技術】
【０００２】
従来は、寝具用の布類として、綿やダウン等の詰め物を詰めたベッドパット、綿やダウン等の詰め物をした薄手の掛け布団、タオルケット等が存在していた。
【考案の開示】
【考案が解決しようとする課題】
【０００３】
寝具用の布類においては、常により高い吸湿性、放湿性、保温性、さっぱりとした質感を有することが求められている。また、薄くて便利で洗濯しやすく、かつ安価なものが求められていた。本考案は、上記の要求を満たす寝具用の布類に最適な生地を提供することを目的とする。
【課題を解決するための手段】
【０００４】
ワッフル織の織物又はハニコームの編み物１と平たく織られた織物２を重ね合わせ縫い合わせたことを特徴とする生地を提供することにより上記課題を解決する。
【考案の効果】
【０００５】
本考案に係る生地は、体に密着する平たく織られた織物２の面が、汗等を吸収し、ワッフル織の織物又はハニコームの編み物１の凹の部分と平たく織られた織物２の間に空気の層３が形成されることから吸収した湿気は放湿されやすくなり、さっぱりとした質感を有することができる。さらに、該空気層３が多数形成されることにより保温性を高めることもできる。また、本考案に係る生地は、織物又は編み物を二枚又は三枚重ね合わせ縫い合わせるという工程のみで作成されるので、本考案に係る生地を使用すると、従来の詰め物を詰めたベッドパットや薄手の掛け布団よりも、詰め物を詰める工程がない分、簡便にベッドパットや薄手の掛け布団を作成することができ、洗濯も容易である。また、素材によっては軽いものが提供できる。工程の少なさや材料の少なさからこれらの製品を安く提供することもできる。さらに、ワッフル織の織物又はハニコームの編み物１がある程度の厚みを有することから、もう一枚あるいは二枚平らに織られた織物２を重ね合わせるだけで、従来のベッドパットに引けを取らない弾力性と厚みを有し、さらに汗等の水分の吸湿性にも優れたベッドパットを提供することができる。
【実施例】
【０００６】
ワッフル織の織物又はハニコームの編み物１と平たく織られた織物２をそれぞれ一枚ずつ重ね合わせると、ワッフル織の織物又はハニコームの編み物１と平たく織られた織物２の間に空気の層３が形成されることにより、適度な弾力性、保湿性を有することからベッドパット、薄手の掛け布団、枕カバー等に向く。
ワッフル織の織物又はハニコームの編み物１と平たく織られた織物２を、それぞれ重ね合わせ、バイアスステッチにより縫い合わせると、二枚又は三枚の布はしっかりと固定され、丈夫になり、空気層３も固定されることから、保温性や弾力性を高めることができる（図２）。
ベッドパット、薄手の掛け布団、枕カバー等の寝具用の布地として用いる場合には、材料として吸湿性、放湿性に優れる麻又は綿が最も適している。
ワッフル織の織物又はハニコームの編み物１に使用する糸を太いものにすると適度な硬さと弾力を有するので、ベッドパットに向く。
ワッフル織の織物又はハニコームの編み物１に使用する糸を細いものにするとやわらかさを有し、軽くなるので薄手の掛け布団や枕カバーに向く。
ワッフル織の織物又はハニコームの編み物１に使用する糸を羊毛にすると、より多くの空気層３が形成されることから、さらに保温性の高い生地になり、防寒用の衣服に向く。
【図面の簡単な説明】
【０００７】
【図１】ワッフル織の織物又はハニコームの編み物と平たく織られた織物を重ね合わせ縫い合わせたものの断面図である。
【図２】ワッフル織の織物又はハニコームの編み物と平たく織られた織物を重ね合わせバイアスステッチにより縫い合わせたものを斜め上方から見た図である。
【符号の説明】
【０００８】
１ワッフル織の織物又はハニコームの編み物
２平たく織られた織物
３空気層
【図１】
0003148535.tif 000003
【図２】
0003148535.tif 000004
(57)【要約】      （修正有）【課題】吸着性の優れた素材を用い、その形状を変えられる構造とし、家具や階段の隅々、サッシの溝などの塵、埃を充分に取り切ることができる埃取り掃除具を提供する。【解決手段】所定幅、所定長さからなる塵や埃の吸着性の優れた２枚の掻き取り部材２の中央両側にそれぞれ長さ方向に直角となる形でギャザーを形成し、さらに該掻き取り部材２の中央部にガイドシートを貼着した後、ガイドシートと共にゴムの把手がついた伸縮自在プラスチック取り付け棒３に回転可能に縫着する。【選択図】図１
0003148559.tif 000002
【実用新案登録請求の範囲】
【請求項１】
所定幅、所定長さからなる、埃、塵の吸着性の優れた２枚の素材両端に、それぞれ          長さ方向に直角となる形でギャザーを形成し、さらに素材中央部にガイドシー      トを貼着した後、把手付き取り付け棒の取り付け棒外面を回転可能に縫着されてあ      ることを特徴とする埃取り掃除具。
【請求項２】
請求項１記載の把手付き取り付け棒は伸縮自在であることを特徴とする埃取り掃除      具。
【考案の詳細な説明】
【技術分野】
【０００１】
本考案は塵や埃など吸着性の優れた素材にフリースに把手を取り付けた埃取り掃
除具に関する。
【背景技術】
【０００２】
従来の埃取り掃除具は埃が舞い上がって散ってしまうもの或いは、ふわっと真綿状      のものがあって、これをモップ状の掃除具で拭き取るものはあったが、これらを全      て取り除くものはなかった。
なお関連技術に下記物件があった。
【特許文献１】特開平     ７−９７７５７号公報
【特許文献２】実開昭   ５６−２６０４０号公報      上記特許文献１は、内面に線状の接合部を有し、その接合部を中心として、複数の        ル−プ状のひだが放射状に伸びた断面形状を有することを特徴とした立体状不織      布やル−プ状のひだの内側に繊維ウェブまたは不織布が充慎されているものなどの      記載があった。さらに特許文献２は所定の長さのナイロン等の可動性を有する硬毛      を、軸と直角に多数放射状に植設してなる刷毛体に把手を備えた軸支体の軸孔に回      転自在に軸支してなる網戸清掃用回転刷毛の記載もあった。
【考案の開示】
【考案が解決しようとする課題】
【０００３】
以上に述べた従来の埃取り掃除具では取り付け棒に沿う形でフリースが取り付けら      れていることによって拭き取るだけでは充分に塵や埃を取り切ることができなかっ      た。また上記特許文献１では複数のループ状のひだが放射状に伸びた断面形状を有      するか、あるいはそのループの中に繊維ウェブあるいは不織布が充填されてフリー      スが取り付け棒に沿う形であるだけでは充分に塵や埃を取り切ることはできない。      さらに特許文献２の網戸清掃用刷毛もナイロン等の可動性を有する硬毛を軸と直角      に多数放射状に植設した刷毛体を軸支体の軸状に止められて回転できるようにした      ものであってもフリースが取り付け棒に沿う形にして回転しながら拭き取るように      しただけでは塵や埃を充分に取り切ることができない。
【０００４】
そこで本考案は吸着性の優れた素材を用い、その形状を変えられる構造を最大限活      用し家具や階段の隅々、サッシの溝など多用途に用い、塵、埃を充分に取り切るこ      とができる。
【課題を解決するための手段】
【０００５】
本考案は上記課題を解決するために、所定幅、所定長さからなる塵、埃の吸着性の      優れた２枚の素材の中央両側にそれぞれ長さ方向に直角となる形でギャザーを形成      し、さらに素材中央部にガイドシートを貼着した後、ガイドシートと共に把手付き      取り付け棒外面に回転可能に縫着されてあることを特徴とする埃取り掃除具。また      把手付き取り付け棒は伸縮自在であることを特徴とする埃取り掃除具。
【考案の効果】
【０００６】
本考案は、上記構成から成るので以下に示す効果が期待できる。
1 形状を回転し螺旋状に変えることができる。
2 しっかり塵、埃を絡み取ることができる。
3  多用途の掃除具として活用できる。
4  隅々まで塵、埃に届く柔軟性フリースが設けられている。
【考案を実施するための最良の形態】
【０００７】
以下本考案の実施の形態を図面を参照して説明する。図１及び図３に示すように埃取    り掃除具１は可動性で高強度からなる掻き取り部材２が幅１０ｃｍ〜１５ｃｍ長さ３    ０ｃｍ〜４０ｃｍからなる２枚の掻き取り部材２が中芯の両側にそれぞれ長さ方向に    直角となる形でギャザー９が作られており埃掻き取り部材２の中心部には取り付け棒    ３を挟む形で幅が1ｃｍ〜５ｃｍ長さを埃掻き部材２と同じ長さ３０〜４０ｃｍのガ    イドシート６に糊付けし固定する。さらに埃掻き取り部材２が取り付け棒３に装着固    定される為に幾分きつめに縫い合わされ止められる。
【０００８】
なお掻き取り部材２の材質としては化学繊維や麻布など繰り返し洗い替えなどがで      きると共に材質の特徴を活かした静電気の活用なども期待できる。さらに埃掻き取      り部材２は取り付け棒３に装着されたときに取り付け棒３を中心に回転ができる為      に掃除具１を活用して清掃作業を行なう場合の家具と家具の隙間の状況を判断し縦      方向に長くしたり螺旋状にしたりして形状を変えることができる。
【０００９】
また取り付け棒３は使用する状況に応じて長さを長くしたり短くしたり自由に伸縮      調整することができる。その場合には取り付け棒３の外径より大きい径の把手４が      取り付けられた取り付け棒３−１にネジ部８を設けたり取り付け棒３にネジ部８を      設けた取り付け棒３−１にさらに外周を覆う把手４が取り付けられた取り付け棒３      −２を締め付けナットで締め付けて固定するなどして把手付き取り付け棒の長さが      調整される。
【図面の簡単な説明】
【００１０】
【図１】正面図
【図２】図１Ａ部拡大図
【図３】図１Ｂ部拡大図
【図４】平面図
【図５】底面図
【図６】斜視図
【符号の説明】
【００１１】
１  埃取り掃除具
２  掻き取り部材
３  伸縮自在プラスチック取り付け棒
４  ゴムの把手
５  繊維素材ヒモ
６  ガイドシート
７  締付ナット
８  ネジ部
９  ギャザー
【図１】
0003148559.tif 000003
【図２】
0003148559.tif 000004
【図３】
0003148559.tif 000005
【図４】
0003148559.tif 000006
【図５】
0003148559.tif 000007
【図６】
0003148559.tif 000008